(57)【要約】本発明は、強化した安定性特徴部を有するタッチセンサ機能を備えたモニタに関する。本発明の一実施形態は、モニタパネル（１１２）と、基部（１１４）と、上部支持部材（１１６）と、下部支持部材（１１８）と、を具備するタッチ入力機能を備えたモニタである。上部支持部材は、第１の位置および第２の位置（１７８、１８０）でモニタパネルに固定され、さらに基部に固定される。下部支持部材は、第１の位置および第２の位置に対して下にある第３の位置および第４の位置（１５８、１６０）でパネルに固定される。下部支持部材はまた、基部にも固定される。本発明の一部の実施形態において、上部支持部材は、直立位置から基部に対して角度をなす位置まで下部支持部材を中心にしてモニタパネルを回転することができるように調整可能である。
2005522728.tif 000002
【特許請求の範囲】
【請求項１】
モニタパネルと、
基部と、
第１の位置および第２の位置で前記基部に取付けられるとともに前記モニタパネルに取付けられる上部支持部材と、
第３の位置および第４の位置で前記基部に取付けられるとともに前記モニタパネルに取付けられる下部支持部材とを具備し、前記第３の位置および前記第４の位置が、前記第１の位置および前記第２の位置よりも下にある、
タッチ入力機能を備えたモニタ。
【請求項２】
前記下部支持部材が前記モニタパネルに回転可能に取付けられ、前記上部支持部材が前記下部支持部材を中心にして前記モニタパネルを回転するように調整可能である、請求項１に記載のモニタスタンド。
【請求項３】
前記上部支持部材が第１の部分および第２の部分を具備し、該第１の部分が前記第１の位置および前記第２の位置で前記モニタパネルに取付けられ、該第２の部分が前記基部に取付けられる、請求項２に記載のモニタスタンド。
【請求項４】
前記モニタパネルが、複数のタッチセンサを備えたタッチスクリーンを有する、請求項１に記載のモニタスタンド。
【請求項５】
前記モニタパネルが、約０〜６０°回転する、請求項２に記載のモニタスタンド。
【請求項６】
前記第１の部分および前記第２の部分が湾曲面を具備し、それら湾曲面が相対的に摺動する、請求項３に記載のモニタスタンド。
【請求項７】
前記基部が前半体および後半体を具備し、前記上部部材が該基部の該後半体に取付けられ、前記下部部材が該基部の該前半体に取付けられる、請求項１に記載のモニタスタンド。
【請求項８】
前記基部がケーブル管理システムを具備し、該ケーブル管理システムが、ケーブルを収容するために該基部に形成される開口部と、該基部に取付けられ、該基部との間で前記ケーブルを捕捉するカバーと、を具備する請求項１に記載のモニタスタンド。
【請求項９】
前記第１の部分が開口部を具備し、前記第２の部分が、該第１の部分の該開口部に整列するスロットを具備し、前記モニタが、前記開口部を通して挿入可能で前記スロットに係合する固締具であって、前記第１の部分と前記第２の部分とを互いに開放可能に取付ける固締具をさらに具備する、請求項３に記載のモニタスタンド。
【請求項１０】
前記第２の部分の前記スロットが、前記第１の部分の協働面のリブ群に協働するリブ群を具備し、それにより、固締具が締付けられるときに、前記第２の部分に対する前記第１の部分の移動が防止される、請求項９に記載のモニタスタンド。
【請求項１１】
前記第１の位置および前記第２の位置が、横方向に離間して同一の鉛直平面に配置され、前記第３の位置および前記第４の位置が、横方向に離間して同一の鉛直平面に配置される、請求項１に記載のモニタスタンド。
【請求項１２】
前記モニタパネルが上半体および下半体を具備し、前記第１の位置および前記第２の位置が該モニタパネルの該上半体にあり、前記第３の位置および前記第４の位置が該モニタパネルの該下半体にある、請求項１に記載のモニタスタンド。
【請求項１３】
前記モニタパネルが左半体および右半体をさらに具備し、該モニタパネルが、該左半体、該右半体、前記上半体、前記下半体によって画定される象限を有し、前記第１の位置、前記第２の位置、前記第３の位置および前記第４の位置がそれぞれ個別の象限にある、請求項１２に記載のモニタスタンド。
【請求項１４】
タッチ入力部を備えたモニタを支持するためのモニタスタンドアセンブリであって、
基部と、
前記基部に取付けられるとともにモニタに回動可能に取付けられる第１の支持部材と、
第１の部分および第２の部分を有する第２の支持部材と、を具備し、
前記第１の部分が前記モニタに取付けられ、前記第２の部分が前記基部に取付けられ、該第１の部分と該第２の部分とが、前記第１の支持部材を中心にして前記モニタパネルを調整するために、互いに調整可能に係合する、
モニタスタンドアセンブリ。
【請求項１５】
前記第２の支持部材の前記第１の部分が２点で前記モニタに取付けられ、前記第２の支持部材が２点で前記モニタに取付けられる、請求項１４に記載のアセンブリ。
【請求項１６】
基部部材と、互いに調整可能に係合する第１の上部支持部分および第２の上部支持部分を有する上部支持部材と、下部支持部材とを具備するモニタスタンドに、モニタを回動可能に取付ける方法であって、
第１の位置および第２の位置で前記第１の上部支持部分を前記モニタに取付けるとともに、前記第２の上部支持部分を前記基部部材に取付けることと、
前記下部支持部材を、前記第１の位置に対して前記モニタの下方にある第３の位置および第４の位置で前記モニタに取付けるとともに、前記基部に取付けることと、
前記第１の上部支持部分と前記第２の上部支持部分とを相対的に調整することによって、前記下部支持部材を中心にして前記モニタを回動させることと、
を含む方法。
【請求項１７】
装置を取付けるための取付けシステムであって、
基部と、
第１の部分および第２の部分を有する上部部材と、
第１の位置で、前記基部に取付けられるとともに前記装置に取付けられる下部部材とを具備し、
前記第１の部分が前記第１の位置よりも高い第２の位置で前記装置に取付けられるとともに、前記第２の部分が前記基部に固定され、該第１の部分と該第２の部分とが、直立位置と傾斜位置との間で前記装置を調整するために、相対的に調整可能である、
取付けシステム。
【発明の詳細な説明】
【技術分野】
【０００１】
本発明は、モニタおよびモニタスタンドに関する。本発明はさらに詳細には、タッチ入力機能を有するモニタのためのモニタスタンドに関する。
【背景技術】
【０００２】
モニタ、特にデスクトップコンピュータモニタは一般に、基部ユニットを有するスタンドと、モニタを基部に固定するために、モニタスタンドなどの取付け特徴部を具備する。既知のモニタスタンドは、モニタのスクリーンが面する方向を調整するために、基部ユニットに対してモニタを枢動することができる枢動特徴部を導入することが多い。たとえば、垂直枢動特徴部は、基部ユニットに対して一般に垂直である略直立位置と、直立位置に対して角度をなす位置との間で、モニタを上下に移動することができる。
【発明の開示】
【発明が解決しようとする課題】
【０００３】
周知のモニタスタンドの１つの欠点は、モニタが回転することができる制限された角度である。たとえば、多くのモニタは、直立位置から約３０°だけ戻すように回転し、大部分のモニタは、直立位置からたとえば、０〜１５°とさらにいっそう制限された前方への回転を有する。制限された後方への回転により、一部のモニタ用途に必要であるように、上からモニタを見ることは、きわめて難しいか、または不可能である。しかし、モニタの制限された回転は、周知のモニタおよびモニタスタンドの設計を与えるモニタの安定性を提供することができる。
【０００４】
公知のモニタの別の欠点は、タッチセンサ機能を作製時に組込むか、または作製後にモニタに追加するかによらず、タッチセンサ機能を備えたモニタの安定性に関する。タッチセンサ機能を備えたモニタは本質的に、モニタスクリーンに関連するタッチセンサを作動させる接触力を必要とする。タッチ入力は、スクリーン上のタッチ位置、タッチのスクリーンに接触する方向および接触する力に応じて、モニタおよびモニタスタンドにおける種々の安定性の問題を生じる可能性がある。モニタが回転位置にあるとき、モニタスクリーンに適用されるタッチ入力は、さらなる安定性の問題を生じる可能性がある。また、一定の位置における反復タッチおよび一回のタッチは、モニタの安定性および有用性に影響を及ぼす振動および共鳴振動を生じる可能性がある。公知のモニタスタンドのこれらの欠点および他の欠点に対処するモニタおよびモニタスタンドは、当業界では促進される。
【課題を解決するための手段】
【０００５】
一般に、本発明は、強化した安定性特徴部を有するタッチセンサ機能を備えたモニタに関する。本発明の一実施形態は、モニタパネルと、基部と、上部支持部材と、下部支持部材と、を具備するタッチ入力機能を備えたモニタである。上部支持部材は、第１の位置および第２の位置でモニタパネルに固定され、さらに基部に固定される。下部支持部材は、第１の位置および第２の位置に対して下にある第３の位置および第４の位置でパネルに固定される。下部支持部材はまた、基部にも固定される。本発明の一部の実施形態において、上部支持部材は、直立位置から基部に対して角度をなす位置まで下部支持部材を中心にしてモニタパネルを回転することができるように調整可能である。
【０００６】
本発明はまた、モニタをモニタスタンドに枢動可能に取付けるための方法も提供する。モニタスタンドは、基部部材と、互いに調整可能に係合する第１の部分および第２の部分を備えた上部支持部材と、下部支持部材と、を具備する。この方法によれば、上部支持部材の第１の部分は第１の位置および第２の位置でモニタに固定され、上部支持部材の第２の部分は第３の位置および第４の位置でモニタに固定される。さらなるステップにおいて、モニタは、互いに対して第１の上部支持部材および第２の上部支持部材を調整することによって、下部支持部材を中心にして枢動する。
【０００７】
本発明の上記の概要は、本発明のそれぞれ開示された実施形態またはすべての実装例を示そうとしているわけではない。以下の図および詳細な説明は、さらに詳細に、これらの実施形態を具体化する。
【０００８】
本発明は、添付図面と共に、本発明の種々の実施形態の以下の詳細な説明を考慮すれば、より完全に理解されるであろう。尚、類似の参照符号は、複数の図面にわたって類似の部品を表す。
【０００９】
本発明は代替形態における種々の修正を適用可能であるが、その使用は、図面に例によって示され、詳細に説明される。しかし、示された特定の実施形態に本発明を限定するわけではないことを理解すべきである。逆に言えば、本発明は、本発明の精神および範囲に包含されるすべての修正物、等価物および代替物を網羅するものとする。
【発明を実施するための最良の形態】
【００１０】
本発明は一般に、増大した安定性を備えたモニタに適用可能である。本発明は特に、タッチセンサ機能を備えたタッチスクリーンを有するフラットパネルモニタアセンブリに関する。タッチ入力がタッチスクリーン上の任意の位置で入力されるとき、および連続タッチがタッチスクリーン上に入力されるとき、モニタアセンブリは直立位置で安定している。モニタアセンブリはまた、タッチ入力がタッチスクリーン上に入力されるとき、およびモニタパネルがモニタアセンブリの基部部分に対して角度をなして傾斜しているときに、安定性を維持する。
【００１１】
「タッチ入力」は、本願明細書で用いられるとき、タッチシステムによって認識することができるタッチ信号を生成するタッチスクリーンへのタッチを指す。タッチ信号は、タッチスクリーンに実際に触れることなく、信号が生成されるような近接タッチ入力によって生成されてもよい。しかし、タッチスクリーンへの物理的なタッチ入力によってタッチ信号が生成される場合が、最も一般的である。一般に、タッチセンサのタッチ信号を誘発するために必要な力の量は、平均的な指先の面積に関して約３〜１０ｏｚ．（８５〜２８０ｇ）である。タッチスクリーンの通常の使用におけるタッチ信号を生成するために実際に用いられる力の平均量は、約１０〜２０ｏｚ．（２５５〜５１０ｇ）である。用途、利用者および他の変数に応じて、加えられると予測されることができるタッチ力は、指先によって与えられる面積に関して、３ｏｚ．程度の小さいものから５ｌｂ程度の大きいもの（８５ｇ〜２．３ｋｇ）の範囲であってもよい。本発明は、モニタの予想された使用に与えられるタッチ力の通常の範囲内または予想範囲内では安定であり、さらに大きな力がモニタパネルのタッチスクリーンに加えられる場合は安定であると考えられるモニタアセンブリを提供する。モニタアセンブリにおける安定性を維持すると同時に、タッチ信号を生成するためにタッチスクリーンに加えることができる力の量における上限は、モニタがその支持面に触れ始めるか、その支持面で摺動し始めるか、または曲がり（ｔｗｉｓｔ）始める点であってもよい。
【００１２】
この用途のために、モニタパネルのタッチスクリーンへのタッチ入力は、タッチスクリーンの動作領域上の任意の位置で形成されてもよい。多くの場合には、タッチスクリーンの動作領域は、モニタパネルの表示可能領域またはその大部分（この場合にはモニタパネルの前面の表面積の大部分を覆うことが多い）を覆う。この用途のために、タッチスクリーンが取付けられるモニタパネルの前面の上部隅および下部隅および上部中心またはその付近でタッチ入力を行ってもよいこととさらに見なされる。
【００１３】
さらに、本願明細書においてモニタパネルが「直立」位置にあると記載されるとき、モニタはモニタの基部に対して略垂直向きであると見なされる。したがって、本願明細書においてモニタパネルが「モニタ基部に対して角度をなしている」と記載されるとき、モニタパネルの向きは「直立」位置以外の位置である。以下に述べるように、本発明は、タッチ入力を受信するためのタッチスクリーンを用いるモニタ、好ましくはフラットパネルモニタの調節可能性および安定性に対処する。
【００１４】
ここで図１の後部斜視図を参照すると、本発明のモニタアセンブリ１０の一例は、モニタパネル１２と、モニタ基部１４と、上部支持部材１６と、下部支持部材１８と、を具備する。モニタパネル１２は、４点取付け構成を形成するために、モニタパネル上の４つ以上の取付点で、支持部材によって基部１４に固定される。４点取付け構成は、公知のモニタアセンブリにおいて一般的である少数の点を用いる取付け構成に関して種々の点で好都合である。４点取付け構成は、モニタアセンブリの安定性を向上させ、振動の減衰の改善によってモニタアセンブリにおける振動および共鳴振動を低減することができる。
【００１５】
図１に示された実施形態において、上部支持部材１６および下部支持部材１８は、モニタパネル１２およびモニタ基部１４の両方の特定の位置で固定される。別の実施形態において、モニタパネル１２またはモニタ基部１４のいずれかに対する上部支持部材および下部支持部材の取付け位置は、調整可能、可動であってもよく、または、何らかの方法でモニタパネル１２の位置を基部１４の位置に対して調整することができるように構成されてもよい。
【００１６】
モニタパネル１２は、モニタ構成要素に関してきわめて薄いモニタ深さ（モニタパネルの前面と背面との間の距離）を必要とする技術を採用する「フラットパネル」モニタである。たとえば、モニタパネル１２は、液晶ディスプレイ（ＬＣＤ）スクリーン、プラズマディスプレイスクリーン、有機エレクトロルミネセントディスプレイスクリーンまたは他のフラットパネル電子ディスプレイを具備してもよい。タッチスクリーン入力装置を備えた電子ディスプレイの統合が公知であり、その仕様は用いられるディスプレイおよびタッチ装置の種類に左右される。タッチスクリーン装置は、容量性装置、抵抗装置、光学装置、力検知装置または表面弾性波装置であってもよく、Ｘ−Ｙ電極グリッド、力センサ、赤外線ダイオードおよびセンサ、または電極バーのアレイを具備してもよい。
【００１７】
モニタパネル１２は、図１に示されているように、モニタスクリーンが組込まれる前面２０と、モニタアセンブリ支持部材が一般に固定される後方背面パネル面２２と、を具備する。モニタパネル１２は、水平中心線Ａによって垂直に分割される上半体２４および下半体２６に分割されてもよい。モニタパネル１２はまた、垂直中心線Ｂによって画定される第１のパネル半体２８および第２のパネル半体３０に垂直に分割されてもよい。中心線Ａ、Ｂは一般に、モニタパネルの４つの象限Ｉ、ＩＩ、ＩＩＩ、ＩＶを画定し、これはモニタアセンブリの安定性に関連するように、モニタパネルへの支持部材の配置に関連する可能性がある。示された種々の実施形態において、中心線Ａ、Ｂは、モニタを対称な半体に分割する幾何的な中心線であってもよく、モニタを等しい重量の半体および／または対称な重心を有する半体に分割する重量配分中心線であってもよく、または安定性を考慮した場合に重要であると考えられる任意の他の適切な構成にモニタを分割してもよい。
【００１８】
この実施形態において、モニタパネル１２は一般に、矩形の形状である。他の実施形態において、モニタパネル１２がタッチ入力機能を備えたモニタスクリーンを組込むことができる限り、モニタパネル１２は、たとえば、円形、半球形、三角形または５つ以上の面を有する形状などの他の形状であってもよい。他の代替形状の実施形態において、モニタパネル１２は依然として、図１に示されているような中心線Ａ、Ｂなどの略水平中心線および略垂直中心線によって画定される上半体および下半体、第１の半体および第２の半体に分割されてもよい。
【００１９】
モニタ基部１４は、一般に矩形の形状の部材を画定する前面４０と、背面４２と、第１の側面４４と、第２の側面４６と、を具備する。モニタ基部１４は、前面４０と背面４２との間の長さＬと、第１の側面４４と第２の側面４６との間で測定される幅Ｗと、を有する。基部１４の幅および長さは、安定性要件を満たすように選択されるモニタアセンブリの実装面積を確定する。たとえば、前面４０と背面４２との間の長さＬは、支持部材１６、１８によって変換されるモーメントおよびトルク力を相殺させるために延在する。同様に、第１の側面４４と第２の側面４６との間の幅Ｗは、特にモニタパネル１２の上部隅および下部隅またはその付近でモーメントおよびトルク力を相殺させるために延在する。
【００２０】
図１に示されているように、タッチ入力がモニタパネル１２に行われる前の停止位置にあるときに、モニタアセンブリがつりあっているように、幅Ｗはモニタパネル１２の垂直中心線Ｂを中心にしてもよい。基部の長さＬの必要な部分がモニタパネル１２の位置の前方および後方に延在するように、モニタパネル１２は基部１４に対して配置されてもよい。その結果、モニタアセンブリは、タッチ入力がモニタパネル１２に行われる前につりあった状態であることができる。一部の実施形態において、基部１４の略上面４８と略下面４９との間で測定される高さＨは、大きくてもよい。高さＨは、上部支持部材および下部支持部材を介してモニタ基部１４へ、モーメントおよび他の力がタッチ入力からモニタパネルにどように変換されるかを考慮すれば、関連性があると考えられる。たとえば、長さＬに対する高さＨの比または幅Ｗに対する高さＨの比が比較的大きいような構成において、Ｈは、安定性を決定する際の大きな要因である場合がある。
【００２１】
他の実施形態において、基部１４は、図１の矩形の形状とは異なる形状であってもよい。たとえば、基部の幅Ｗは、基部の長さＬに沿って変化してもよい。他の実施形態において、基部１４は、円形または楕円形の形状であってもよく、基部の高さＨは、基部の幅Ｗおよび長さＬに沿って変化してもよく、または、たとえば、別のモニタパネル構成におけるモニタパネル１２の多面形状に適合するように５面以上を備えていてもよい。
【００２２】
一部の実施形態において、基部１４は、加重板、鍵穴板または安定性および／または安全性を提供するために、基部１４内に戦略的に配置される他のタイプのさらなる特徴部を具備してもよい。たとえば、加重板は、さらなる安定性を提供すると同時に見えないようにするために、基部１４の下面４９に固定されてもよい。他の実施形態において、加重板または成形重石は、たとえば、金属板または金属合金板または他の成形重石の周囲に基部１４を射出成形することによって、基部１４に一体成形されてもよい。基部１４のさらに別の実施形態において、モニタの安定性を改善するために、基部１４の底面に材料を加えて、基部１４とモニタアセンブリ１０の属す面との間に高い摩擦境界面を形成してもよい。たとえば、特定の材料は、接着剤であってもよく、あるいは可能であれば基部１４の付近または周囲の戦略的な点に配置されたパッド、吸引具または類似の設計物であってもよい。
【００２３】
下部支持部材１８は、第１の端部５０と、第２の端部５２と、第１の側面５４と、第２の側面５６と、を具備する。下部支持部材１８は、第１の側面５４および第２の側面５６またはその付近で第１の端部５０に沿って配置される２ヶ所以上の取付点５８、６０でモニタパネル１２にそれぞれ固定される。下部支持部材１８は第２の端部５２で基部１５に固定される。公知のモニタアセンブリの場合には、モニタパネルを支持するため、およびパネルを基部に固定するために、唯一の支持部材を備えることが一般的である。さまざまな公知のモニタアセンブリにおいて、モニタパネルは、支持部材に回転可能に取付けられる。公知のモニタアセンブリの回転可能な取付け構成により、モニタアセンブリの使用者は、モニタパネルの前面上でモニタスクリーンの視角を調整することができる。しかし、回転可能に調整可能なモニタパネルを有するという利点があるにもかかわらず、タッチスクリーンがこのようなモニタに組込まれている場合には、このような構成は一般に、タッチ入力中の安定性に欠ける。
【００２４】
タッチ入力機能を有するモニタアセンブリ１０に安定性を与えるのを支援するために、モニタアセンブリは、上部支持部材１６を具備する。上部支持部材１６は、第１の端部７０と、第２の端部７２と、第１の側面７４と、第２の側面７６と、を具備する。上部支持部材１６は、第１の側面７４および第２の側面７６またはその付近で第１の端部７０に沿って配置される２ヶ所以上の取付点７８、８０でモニタパネル１２にそれぞれ固定される。上部支持部材１６は、基部１４と下部支持部材１８の接続点から基部の長さＬに沿って略後方の位置の第２の端部７２で基部１４に固定される。タッチ入力からモニタパネルのタッチスクリーンへの力が支持部材１６を介して基部１４により均等に分散されるように、上部支持部材１６は、モニタパネル１２の垂直中心線Ｂを中心にして対称に配置されることが好ましい。上部支持部材１６は、モニタパネルのタッチ入力が上半体２４または下半体２６のいずれかで行われるときに、モニタアセンブリを安定化するのに役立つ。
【００２５】
上部支持部材１６はモニタパネル１２の上半体２４に固定され、下部支持部材１８はパネル１２の下半体２６に固定されることが好ましい。さらに、上部支持部材および下部支持部材の取付点５８、６０、７８、８０はそれぞれ、図１に示されているように、モニタパネル１２の個々の象限Ｉ〜ＩＶに配置されることが好ましい。
【００２６】
この実施形態において、上部支持部材１６および下部支持部材１８は、（４つの象限のそれぞれに取付点を有する）モニタパネル１２およびモニタ基部１４の両方の特定の位置に固定されるため、図１に示された略直立位置にモニタパネル１２を固定する。他の実施形態において、上部支持部材１６および下部支持部材１８の一方または両方のサイズおよび位置は、基部１４に対して角度をなす位置にモニタパネル１２の固定位置を変化させるようにさまざまであってもよい。本願明細書に示され、説明されるさらに別の実施形態において、上部支持部材１６および下部支持部材１８は、基部１１４に対してモニタパネル１１２の位置がモニタアセンブリの使用者によって調整可能であるように、パネル１２に調整可能であり、調整可能に取付けられてもよい。
【００２７】
ここで図２および図３を参照すると、別のモニタアセンブリ１００は、調整機能を有するように示されている。モニタアセンブリ１００は、モニタパネル１１２と、モニタ基部１１４と、上部支持部材１１６と、下部支持部材１１８と、を具備する。下部支持部材１１８は、基部１１４に対してパネル１１２を回転可能にすることができるように、パネル１１２に回転可能に固定される。上部支持部材１１６は、所与の回転位置にパネル１１２を固定して維持すると同時に、タッチ入力がアセンブリのタッチパネルに入力されるときに、モニタアセンブリ１００に必要な安定性および支持を提供するように構成される。
【００２８】
モニタパネル１１２は、水平中心線Ａ１によって分割される上半体１２４および下半体１２６を具備し、垂直中心線Ｂ１によって分割される第１の半体１２８および第２の半体１３０をさらに具備する。水平中心線Ａ１および垂直中心線Ｂ１は、モニタパネル１１２の象限Ｉ、ＩＩ、ＩＩＩ、ＩＶを画定する。パネル１１２はまた、モニタスクリーンが組込まれる前面１２０と、上部支持部材１１６および下部支持部材１１８が取付けられる背面１２２と、を具備する。
【００２９】
モニタアセンブリ１００のモニタ基部１１４は、前端部１４０から後端部１４２までの長さＬ１と、第１の側面１４４と第２の側面１４６との間の幅Ｗ１と、を有する。基部１１４はまた、最上面１４８と底面１４９との間の高さＨ１も有する。図３に示されているように、前端部１４０は、湾曲形状を有し、上面１４８は、基部１１４Ｗ１の幅および長さにわたって輪郭が形成されている。幅Ｗ１は、第１の側面１４４および第２の側面１４６の輪郭形状のために、前端部１４０と後端部１４２との間で変化する。基部１１４の輪郭および湾曲特徴部は、直立位置で用いられるときおよび基部に対して種々の角度をなした位置で用いられるとき、モニタアセンブリの安定性を維持する美学的に美しい基部部材を形成する。
【００３０】
基部１１４はまた、モニタパネル１１２から延在するケーブルを集約して整列するためのケーブル管理システムも具備する。ケーブル管理システムは、基部１１４から取外し可能であり、基部１１４に形成される開口部の一部１３６、１３７を覆う第１のカバー１３２および第２のカバー１３３を具備する。カバー１３２、１３３は、２つのカバーの間に延在する接続部分１３１と一体の部材として形成されてもよい。２つのカバーは、開放タブ１３４、１３５によって容易に取外し可能であってもよく、または個別の除去可能な品目として形成されてもよい。使用中に、開口部１３６、１３７を介して延在してパネル１１２に固定されるケーブルは、カバー１３２、１３３によって捕捉され、基部の後方部分またはカバー部材１３２および１３３のいずれかに形成される開口部１３８、１３９から基部部材の後方部分１４２を介して延在する。
【００３１】
ケーブル管理システムのケーブル集約および整列の利点に加えて、ケーブル管理システムはまた、開口部１３６、１３７と、モニタパネル１１２のケーブルの取付点との間でケーブルに一定量のたるみを形成するために用いられてもよい。カバー１３２、１３３と基部１１４との間でケーブルを留めることまたは他の方法で固定することにより、基部とモニタパネルとの間でケーブルのたるみを維持するのに役立つと考えられる。この一定量のたるみ（図示せず）により、モニタパネルから電源、ＣＰＵ、プリンタまたは他のシステムに延在するとき、一般にケーブルによって加えられる後方または下方への力を生じることなく、モニタパネルを直立位置と基部１１４に対して角度をなした位置との間で回転することができる。したがって、本発明のケーブル管理システムを用いてパネル１１２に取付けられるケーブルに一定量のたるみを確保することによって、ケーブル管理システムは、一定の状況下で、モニタアセンブリ１００にさらなる安定性を与える可能性がある。
【００３２】
モニタアセンブリ１００の下部支持部材１１８は、モニタパネルに回転可能に取付けられる第１の端部１５０と、基部１１４に固定される第２の端部１５２と、を有する。下部支持部材１１８は、モニタパネル１１２の下半体１２６における個別の象限ＩＶ、ＩＩＩに水平方向に離間され配置される少なくとも２つの取付点１５８、１６０を形成する。
【００３３】
下部支持部材１１８へのパネル１１２の回転可能な取付けは、下部支持部材１１８の第１の側面１５４と第２の側面１５６との間に延在するシャフトを用いて可能であってもよい。このシャフトは、パネル１１２の背面１２２の横方向に延在する孔１６２に係合している。他の実施形態において、特徴部１６２は、特徴部１６２から水平方向の外側に延在し、下部支持部材の第１の端部１５０に形成される開口部に係合する突出部を具備してもよい。他の実施形態において、下部支持部材１１８は、パネル１１２に固定され、基部１１４に対して回転する。
【００３４】
上部支持部材１１６は、互いに調整可能に接合し、基部１１４にパネル１１２を固定する第１の部分１８４および第２の部分１８６を具備する。第１の部分１８４は、それぞれ取付板１８２または他の手段によってパネル１１２に個別に取付ける第１のアーム１８３および第２のアーム１８５を備えた「Ｙ」字またはヨーク形状である。第１のアーム１８３および第２のアーム１８５がパネル１１２に固定される点は、取付点１７８、１８０を規定する。取付点１７８はパネルの上半体１２４の象限Ｉにあり、取付点１８０象限ＩＩにあることが好ましい。他の実施形態において、第１の部分１８３および第２の部分１８５は、取付板１８２を用いることなく、モニタパネルに直接接続する。
【００３５】
第１の部分１８３および第２の部分１８５は合わせて、第２の部分１８６と接合する第１の部分１８４の単独の首部分１７９を形成する。首部分１７９は、サムターン１８８が第２の部分１８６の調整特徴部と係合するために取付けられる開口部１８９を具備する。
【００３６】
第２の部分１８６は、第２の部分１８６の長さに沿って形成されるスロット１９１に隣接するトラック面１８７を具備する。サムターン１８８の一部は、スロット１９１およびトラック１８７の調整特徴部に係合して、モニタパネル１１２を基部１１４に対して調整した角度をなす位置に保持する。サムターン１８８は、第１の部分１８４を第２の部分１８６に除去可能に固定する同一の目的を実現する多種多様な態様で構成されてもよい。たとえば、サムターン１８８は、トラック１８７の特徴部を開放するために外側にサムターンが引っ張られなければならないようにバネ荷重式であってもよいため、パネル１１２の回転位置を変更するために第１の部分１８４および第２の部分１８６を互いに対して移動させることができるようになっている。他の実施形態において、サムターン１８８は、スロット１９１を通って延在するネジ付きシャフトを具備し、第２の部分１８６の対向する側面でネジ付きナットを係合して、第１の部分１８４および第２の部分１８６を共に固定するために、サムターン１８８の回転が第１の部分１８４の調整特徴部をトラック１８７の調整特徴部に係合させる。具体的な実施形態において、使用者がサムターンを把持し、一方の手を用いている間中、サムターンを容易に開放することができ、モニタを傾斜させることができ、所望の傾斜角度でモニタを固定するために、サムターンを再係合することができる。
【００３７】
図３に示されているように、第１の部分１８４は、第２の部分１８６の輪郭および形状に実質的に適合する湾曲形状または輪郭形状を有する。第１の部分１８４および第２の部分１８６が、第１の部分および第２の部分が下部支持部材１１８を中心としたパネル１１２の回転中に接触を維持することができるような特定の方向において、パネルおよび基部にそれぞれ取付けられる。他の実施形態において、上部支持部材の第１の部分および第２の部分は、湾曲している必要はなく、モニタパネルを回転することができ、基部１１４に対する特定の位置でパネルを固定する同一の機能を実現する直線特徴部を備えていてもよい。
【００３８】
第２の部分１８６は、端部１４２から距離Ｌ２で基部１１４に固定される。距離Ｌ２は、上部支持部材１１６の形状およびサイズ、パネル１１２のサイズおよび重量、基部に対するパネルの利用可能な回転角度に応じて変更してもよい。
【００３９】
図２および図３に示されたモニタアセンブリ１００のモニタパネル１１２は、略直立位置（図２および図３に示されているように、０°）と約６０°までの基部１１４に対して角度をなす位置との間で回転してもよい。他の実施形態において、図２および図３に示された実施形態に少数の修正を加えて、モニタパネル１１２は約−１０°〜約９０°の間で回転してもよい。モニタパネル１１２のすべての位置は、モニタパネル１１２の前面に組込まれるモニタスクリーンの任意の位置における通常のタッチ入力の力を受けて安定である。
【００４０】
モニタパネル１１２のタッチスクリーンへのタッチ入力のためにモニタアセンブリ１００に加えられるタッチ力は、（図３に示される軸によって定義されるように、）Ｘ成分、Ｙ成分およびＺ成分を含んでもよい。公知のモニタアセンブリは、タッチ力がタッチスクリーンの上隅およびおよび最も外側の隅で加えられるとき、モニタパネルが基部に対して角度をなす位置にあるときのタッチスクリーン上の種々の位置で、前方から後方および側面から側面の方向に適切な安定性を与えることができない。モニタアセンブリ１００は、上部支持部材および下部支持部材と、モニタパネル１１２のタッチスクリーンに加えられる任意の方向の力を有する任意のタッチ入力に関して安定性を与えて維持するような基部設計によって、４点取付け構成を形成する。
【００４１】
ここで図４を参照すると、モニタアセンブリ２００は、別の上部支持部材構成および下部支持部材構成を有するように示されている。モニタアセンブリ２００は、モニタアセンブリ１００の対応する特徴部と類似のモニタパネル２１２およびモニタ基部２１４を具備する。アセンブリ２００は、アセンブリ１０の上部支持部材１６のような単独の一体部品として組込まれる上部支持部材２１６を具備する。アセンブリ２００はまた、パネルが基部２１４に対して垂直位置に固定されるように、パネル２１２に取付けられる下部支持部材２１８を具備する。アセンブリ１０、１００と同様に、アセンブリ２００は、パネル２１２の下半体２２６の個別の象限ＩＶ、ＩＩＩに位置する下部支持部材の第１の接点２５８および第２の接点２６０と、モニタパネル２１２の上半体２２４の個別の象限Ｉ、ＩＩに位置する上部支持部材の第１の接点２７８および第２の接点２８０と、を備えた４点取付け構成を具備する。４つの取付点はすべて、それぞれ水平中心線Ａ２および水平中心線Ｂ２によって画定される個別の象限Ｉ、ＩＩ、ＩＩＩまたはＩＶに位置する。
【００４２】
モニタアセンブリ２００は、公知のモニタアセンブリに比べて安定性を強化した。アセンブリ２００の安定性は、タッチ入力機能を有するモニタパネルの場合には特に関連している。モニタパネル上に３つ以下の取付点を有する公知のモニタアセンブリに比べて、アセンブリ２００は、振動に影響されにくく、反復タッチ入力による共振振動を低減する。アセンブリ２００は、振動の減衰の改善を与えることによって、タッチ入力による振動の大きさおよび持続時間を低減してもよい。
【００４３】
ここで図５を参照すると、モニタアセンブリ３００の別の実施形態が示されている。アセンブリ３００は、モニタパネル３１２と、基部３１４と、上部支持部材３１６と、下部支持部材３１８と、を具備する。モニタパネル３１２および基部３１４は、モニタアセンブリ１０、１００、２００の対応する特徴部に類似している。上部支持部材３１６は、アセンブリ１００の上部支持第１の部分１８４に匹敵する。下部支持部材３１８は、下部支持部材１１８の匹敵可能な特徴部のほか、アセンブリ１００の上部支持第２の部分１８６を組込む。
【００４４】
下部支持部材３１８のサイズおよび形状、および下部支持部材３１８と基部３１４との間で境界をなす表面積の量は、モニタアセンブリ３００の強化した安定性を提供する。下部支持部材３１８は、上部支持部材３１６の一部を通って延在するサムターン３８８の一部によって係合される係合トラックまたはスロット３８７を具備する。したがって、サムターン３８８がトラック３８７と係合またはトラック３８７から開放されるとき、基部３１４に対するパネル３１２の回転が制御される。
【００４５】
上部支持部材３１６は、取付点３７８、３８０でパネル３１２に対する上部支持部材の個別の２つの取付点を形成すると同時に、美学的に美しい「Ｙ」字またはヨーク形状の設計を具備する。下部支持部材３１８はまた、２つの位置３５８、３６０でモニタパネル３１２に連結されるか、または取付けられる。図５は、直立位置から約６０°回転した角度をなす位置にあるモニタパネル３１２を示している。パネル３１２の回転の利用可能な角度は、下部支持部材３１８のサイズおよび形状、上部支持部材３１６のサイズ、下部支持部材３１８に形成されるトラック部分３８７の長さ、およびパネル３１２上の取付点３５８、３６０、３７８、３８０の位置によって部分的に決定される。
【００４６】
モニタパネル３１２は、水平中心線Ａ３および垂直中心線Ｂ３によって４つの象限Ｉ、ＩＩ、ＩＩＩ、ＩＶに分割される。上部支持部材３１６の第１の部分の取付点３７８、３８０はそれぞれ、個別の象限Ｉ、ＩＩにある。下部支持部材３１８の取付点３５８、３６０はそれぞれ、個別の象限ＩＶ、ＩＩＩにある。
【００４７】
モニタアセンブリ３００は、パネル３１２の底部分または後方部分から延在するケーブルが下部支持部材３１８を通って延在し、開口部３３８を経てアセンブリ３００から出るようなケーブル管理システムを具備する。このケーブル管理システムによれば、ケーブルは、美学的に美しい態様で隠され、集約される。一部の実施形態において、下部支持部材３１８は、張力がケーブルからパネルに加えられることなく、パネルはその回転角度によって回転することができるように、モニタパネルから延在するケーブルに一定量のたるみを維持するのにサイズが十分な中空内部を有してもよい。下部支持部材３１８の中空内部はまた、電源コードの電源ブリックを隠すために用いられてもよい。
【００４８】
ここで図６および図７を参照すると、モニタアセンブリ４００は、本発明の複数の別の特徴部を有するように示される。アセンブリ４００は、モニタパネル４１２と、モニタ基部４１４と、上部支持部材４１６と、下部支持部材４１８と、を具備する。支持部材４１６、４１８は、タッチ入力がモニタパネル４１２の前面４２０に組込まれるタッチスクリーンに入力されるとき、アセンブリの必要な支持および安定性を提供するために、パネル４１２に対する支持部材の４点取付けを提供する。
【００４９】
基部４１４は、上面４４８と、第１の側面４４４および第２の側面４４６と、保持スロット４６６、４６８と、を具備し、第１の側面４４４に沿って基部４１４に形成される保持スロット４６６、４６８が、第２の側面４４６に沿って基部４１４に形成される保持スロット（図示せず）に対応する。保持スロットは、第１の側面４４４と第２の側面４４６との間の基部４１４の幅にわたって他のスロットに平行に配列されるスロットの組の各スロットと組になるように形成される。係合スロットは、上部支持部材４１６の第１の脚部材４８３および第２の脚部材４８５の一部を収容するように構成される。第１の脚部材および第２の脚部材を係合するとき、各組の係合スロットは、パネル４１２に関して異なる位置を表す。他の実施形態において、基部４１４に形成されるより少ない組のスロットまたはより多い組のスロットであってもよく、各組のスロットはパネル４１２に関して異なる位置を表す。
【００５０】
上部支持部材４１６は、パネル４１２に回転可能に固定されてもよく、その結果、高い量のトルクがパネルに対して部材４１６を回転するために必要とされる。上部支持部材４１６は、上部支持部材の完全に延長部分を規定し、部材４１６がパネルに対して回転することができるような角度を制限する位置停止特徴部をさらに具備してもよい。上部支持部材４１６は、基部４１４の向こう側に脚部材４８３、４８５を配置する位置に回転されてもよく、脚部材が基部における１組のスロットと係合しなくてもよい。脚部材が基部スロットの外側に配置されるとき、パネル４１２は、図６に示された角度をなす位置より直立位置からさらに一層角度をなしていてもよい。
【００５１】
さらに、脚部材がスロットから開放されるときであっても、上部支持部材はモニタパネルを安定化することができる。所与の回転位置にパネルを保持するパネルと上部支持部材の高いトルクの連結によって、パネルの安定化を可能にしてもよい。パネルはまた、上部支持部材が完全に延長されて、位置停止によってさらなる延長部から保持されるとき、安定位置に有用であってもよい。使用時には、スロットの後方に位置する組は、たとえば直立位置からパネル４１２の４５°の回転を形成すると同時に、上部支持部材の完全に延長した位置は直立位置からパネル４１２の６５°の回転を形成してもよい。
【００５２】
脚部材４８３、４８５がスロット４６６、４６８内部に保持されるとき、モニタパネル４１２は基部４１４に対して垂直である略直立位置にある。部材４８３、４８５がスロット４６７、４６９内部に保持されるとき、モニタパネル４１２はパネルの直立位置に対して角度をなす位置にある。上部支持部材４１６がパネル４１２用の支持を形成するために、基部４１４のスロットの組のうちの１つを係合しなければならない。
【００５３】
基部４１４の上面４４８は、下部支持部材４１８が基部４１４に対して回転することができるが、不注意で基部との接触を失わないようにする下部支持部材４１８の回転面４５３を係合する接触部分４５７を具備する。他の実施形態において、下部支持部材４１８は、上部支持部材４１６をパネル４１２に固定するために用いられるピンおよび開口部設計によるなど、異なる態様で基部４１４に回転可能に固定されてもよい。
【００５４】
モニタパネル４１２は、パネルの水平中心線Ａ４および垂直中心線Ｂ４によって画定される４つの象限Ｉ、ＩＩ、ＩＩＩ、ＩＶに分割される。取付点４５８、４６０は、パネル４１２の下半体４２６の個別の象限ＩＶ、ＩＩＩにある下部支持部材の第１の側面４５４および第２の側面４５６で、基部４１４と下部支持部材４１８との間に維持される。部支持部材４１６とパネル４１２との間の取付点４７８、４８０は、パネル４１２の上半体４２４の個別の象限Ｉ、ＩＩの中心線Ａ３またはその上に配置される。
【００５５】
パネル４１２の背面４２２は、上部支持部材４１６のピン４６４、４６５などの取付け特徴部をそれぞれ収容するように構成されるブラケット４６２、４６３を具備してもよい。モニタパネルが上部支持部材４１６に対して回転することができ、したがって、基部４１４に対して回転することができるように、取付け特徴部４６４はブラケット４６２、４６３の水平方向に整列された開口部を通って延在してもよい。
【００５６】
ここで図８を参照すると、モニタアセンブリ５００は、別の調整可能な上部支持部材５１６構成を有するように示されている。モニタアセンブリ５００は、アセンブリ１０、１００、２００の対応する部材に類似であるモニタパネル５１２と、基部５１４と、下部支持部材５１８と、を具備する。下部支持部材５１８は、基部５１４に固定され、２つの取付点（一方の取付点５６０が示されている）でパネル５１２に回転可能に固定される。上部支持部材５１６は、互いに調整可能に接合し、基部５１４にパネル５１２を固定する第１の部分５８４および第２の部分５８６を具備する。上部支持部材５１６の第１の端部５７０は、取付点５７８、５８０でパネル５１２に固定される。上部支持部材５１６の第２の端部５７２は、基部５１４に対して下部支持部材５１８の取付点の後方に基部５１４に固定される。
【００５７】
図８に示されているように、第１の部分５８４は、下部支持部材５１８を中心にしてモニタパネル５１２を回転することができるように、第２の部分５８６に挿入可能である。第２の部分５８６は、サムノブ５８８が第１の部分５８４に形成されるスロット５９１を係合するために挿入可能である開口部５８９を具備する。サムノブ５８８は、互いに対して移動することができるように第１の部分および第２の部分を開放し、基部５１４に対して所与の位置でパネル５１２を保持するように第１の部分および第２の部分を結合するように調整可能である。
【００５８】
第１の部分および第２の部分が互いに対して移動するようにするために、（第１の端部５７０における）パネルへの上部支持部材５１６の取付点および（第２の端部５７２における）基部への上部支持部材５１６の取付点は回転可能でなければならない。パネルに対する下部支持部材５１８の取付点５６０はまた、パネルが基部に対して回転するとき、第１の部分および第２の部分を回転することができるように回転可能でなければならない。モニタパネルに対する上部支持部材の回転可能取付けの実施例が、図６および図７に示され、パネル５１２および基部５１４に対する上部支持部材５１６の回転可能取付けとして用いられてもよい。他の実施形態において、第１の部分５８４および第２の部分５８６の構成は、第２の部分５８６が第１の部分５８４に挿入可能であるように逆転してもよい。
【００５９】
モニタアセンブリ５００はまた、上部支持部材５１６の第１の部分５８４および第２の部分５８６の一方または両方が、パネルおよび基部に対して回転可能および直線状の両方に移動することができなければならないことが必要である場合がある。たとえば、垂直スロットは、中心線Ｂ５に平行に延在し、上部支持部材の端部５７０を収容するように構成されるパネル５１２の背面５２２の上半体に形成されてもよい。垂直スロットは、パネル上の所与の垂直位置に上部支持部材を固定するために、端部５７０を係合するサムノブ５８８と類似の係止特徴部に関連していてもよい。基部５１４に対してパネル５１２の回転位置を調整するとき、サムノブ５８８および端部５７０の係止特徴部は開放され、部材５８６に対して部材５８４を摺動可能に、およびパネル上の垂直スロット内で端部５７０を移動可能にし、サムノブおよび係止特徴部が再び締付けられ、調整位置にパネルを保持することによって、パネル位置を調整する。類似のスロットが基部５１４に形成されてもよく、端部５７２を係止し、上述したパネル５１２に形成されるスロットのように、類似の調整機能を提供する係止特徴部に関連する。
【００６０】
さらに別の実施形態において、下部支持部材５１８は、たとえば上部支持部材と整列される基部５１４に形成されるスロットにおいて、基部５１４に対して移動可能であってもよい。部材５８４、５８６が互いに対して移動するとき、部材５８４、５８６との間の直線移動に加えて、下部支持部材による第２の直線移動を形成することにより、直立位置からパネルを回転することができる。
【００６１】
上部支持部材５１６の第１の部分および第２の部分がパネル５１２および基部５１４に固定される位置は、第１の部分および第２の部分がパネルまたは基部の内外に移動するように構成されてもよい。たとえば、パネル５１２は、上部支持部材の端部５７０が所与の距離だけパネルに挿入することができるように、パネルの背面に開口部が形成され手もよいように、パネルの前面と背面との間に十分な厚さを有してもよい。係止特徴部は、パネルにおける所与の挿入位置で上部支持部材を係止するために、パネルの開口部に関連すると推測される。したがって、パネルの回転位置を調整するときに、サムノブ５８８が開放され、開口部に関連する係止特徴部が開放され、部材５８４、５８６が互いにに対して移動され、サムノブおよび係止特徴部が所与の位置でパネルを係止するために締付けられる。基部が上部支持部材の端部５７２を基部に挿入し、基部内の異なる挿入位置に調整されることができるような十分な厚さを備えている場合には、類似の開口部が基部５１４に形成されてもよい。
【００６２】
モニタパネル５１２は、水平中心線Ａ５および垂直中心線Ｂ５によって４つの象限Ｉ、ＩＩ、ＩＩＩ、ＩＶに分割されてもよい。上部支持部材５１６の第１の部分取付点５７８、５８０はそれぞれ、個別の象限Ｉ、ＩＩにある。下部支持部材５１８の取付点はそれぞれ、個別の象限ＩＶ、ＩＩＩにある。
【００６３】
ここで図９を参照すると、モニタアセンブリ６００は、別の調整可能な上部支持部材６１６を有するように示される。モニタアセンブリ６００は、アセンブリ１００、２００、５００の対応する部材に類似であるモニタパネル６１２と、基部６１４と、下部支持部材６１８と、を具備する。下部支持部材６１８は、基部６１４に固定され、取付点６６０を含む２つの取付点でパネル６１２に回転可能に固定される。上部支持部材６１６は、互いに調整可能に接合し、基部６１４にパネル６１２を固定する第１の部分６８４および第２の部分６８６を具備する。上部支持部材６１６の第１の端部６７０は、取付点６７８、６８０でパネル６１２に固定される。上部支持部材６１６の第２の端部６７２は、基部６１４に対して下部支持部材６１８の取付点の後方に基部６１４に固定される。
【００６４】
図９に示されているように、第２の部分６８６は、下部支持部材６１８を中心にしてモニタパネル６１２を回転することができるように、第１の部分６８４に挿入可能である。第１の部分６８６は、サムノブ６８８が第２の部分６８４に形成されるスロット６９１を係合するために挿入される開口部６８９を具備する。サムノブ６８８は、互いに対して移動することができるように第１の部分および第２の部分を開放し、基部６１４に対して所与の位置でパネル６１２を保持するように第１の部分および第２の部分を結合するように調整可能である。
【００６５】
モニタパネル６１２は、水平中心線Ａ６および垂直中心線Ｂ６によって４つの象限Ｉ、ＩＩ、ＩＩＩ、ＩＶに分割される。上部支持部材６１６の第１の部分取付点６７８、６８０はそれぞれ、個別の象限Ｉ、ＩＩにある。下部支持部材６１８の取付点はそれぞれ、個別の象限ＩＶ、ＩＩＩにある。
【００６６】
上記の詳細、実施例およびデータは、本発明の作製および構成の使用に関する完全な詳細を提供する。本発明の種々の実施形態は、本発明の精神および範囲を逸脱することなく構成されることができるため、本発明は以下に添付される特許請求の範囲に属している。
【図面の簡単な説明】
【００６７】
【図１】本発明によるモニタアセンブリの後部斜視図である。
【図２】本発明によるモニタアセンブリの別の実施形態の後部斜視図である。
【図３】図２のモニタアセンブリの側面図である。
【図４】本発明によるモニタアセンブリのもう１つの別の実施形態の後部斜視図である。
【図５】本発明によるモニタアセンブリのもう１つの別の実施形態の後部斜視図である。
【図６】本発明によるモニタアセンブリのもう１つの別の実施形態の側面図である。
【図７】図６のモニタアセンブリの背面図である。
【図８】本発明によるモニタスタンドアセンブリのもう１つの別の実施形態の後部斜視図である。
【図９】本発明によるモニタスタンドアセンブリのもう１つの別の実施形態の後部斜視図である。
【図１】
2005522728.tif 000003
【図２】
2005522728.tif 000004
【図３】
2005522728.tif 000005
【図４】
2005522728.tif 000006
【図５】
2005522728.tif 000007
【図６】
2005522728.tif 000008
【図７】
2005522728.tif 000009
【図８】
2005522728.tif 000010
【図９】
2005522728.tif 000011
【国際調査報告】
2005522728.tif 000012
2005522728.tif 000013
2005522728.tif 000014